(57)【要約】【課題】カラーファイルを送信する場合、画素数を指定できないため、大きな画像を送信する場合には送信時間が長かった。【解決手段】色空間ｓＹＣＣのＪＰＥＧフルカラー受信機能の有無及び色空間ｓＹＣＣのＪＰＥＧフルカラー送信の通知を行うビットをＤＩＳ信号及びＤＣＳ信号のＦＩＦに設け、色空間ｓＹＣＣのＪＰＥＧフルカラー受信機能を有する相手先には、色空間を変換することなく送信を行う。また、送信時の主走査方向及び副走査方向の画素数を選択可能とすることで、大きな画像を送信する場合に画素数を減らして送信することができ、送信時間を短縮できる。【選択図】　図２
2004140463.tif 000002
【特許請求の範囲】
【請求項１】
主走査方向及び副走査方向の画素数が判別可能なカラーファイル情報を送信可能なファクシミリ装置であって、
カラーファイルを送信する際の主走査方向及び副走査方向の画素数をユーザが選択するための入力手段と、
相手先ファクシミリ装置が、非定形サイズの受信機能及びカラーファイルの受信機能を有するか否かを判別する能力判別手段と、
前記相手先ファクシミリ装置が、非定形サイズの受信機能及びカラーファイルの受信機能を有すると前記能力判別手段が判定した場合、送信指定されたカラーファイルを前記入力手段によって選択された主走査方向及び副走査方向の画素数に従って送信する送信手段とを有することを特徴とするファクシミリ装置。
【発明の詳細な説明】
【０００１】
【発明の属する技術分野】
本発明は、ファクシミリ通信技術、特に、カラーファイル情報を送信可能なファクシミリ通信技術に関するものである。
【０００２】
【従来の技術】
従来のファクシミリ装置は、モノクロ原稿情報を送信する装置が主体であった。しかしながら、パソコンやデジタルカメラ、カラープリンタの普及によって、カラー情報の通信ニーズが高まってきている。
【０００３】
現在、カラー情報のファクシミリ通信は、ＩＴＵ−Ｔ勧告Ｔ．８２で規定されているＪＰＥＧ符号化を用い、ＩＴＵ−Ｔ勧告Ｔ．４２の色空間Ｌａｂでフルカラー原稿情報の送信を実行している。送信機、受信機ともに、この規格に沿ったファクシミリ装置であれば、正しくカラー情報の通信が行える。
【０００４】
一方、原稿画像ではなく、デジタルカメラで撮影した情報や、パソコンで作成した画像データをファクシミリ伝送したいというニーズが存在する。このような機器で撮影、作成される画像データは、一般に色空間ｓＹＣＣの画像データであることが多い。しかし、従来色空間ｓＹＣＣでのＪＰＥＧ符号化情報をファクシミリ伝送する方法は規格化されていないため、色空間Ｌａｂに変換し、通常のカラーファクシミリ原稿情報と同様にして送信していた。
【０００５】
【発明が解決しようとする課題】
しかしながら、このような従来技術では、デジタルカメラで撮影した情報、あるいは、パソコンにて表示している情報のように色空間ｓＹＣＣの画像情報をファクシミリ送信する時は、一度、色空間をｓＹＣＣからＲＧＢに戻してから、再度、Ｌａｂに変換して送信しなければならない。したがって、処理時間がかかる上、２度の変換によって画質劣化が発生するという問題があった。
【０００６】
また、従来のカラーファクシミリ通信は、既に作成されたカラーファイル情報（画像ファイル）のみを送信する事は考えられておらず、常に、原稿画像を色空間ＬａｂでＪＰＥＧ符号化して送信するものであった。
さらに、カラーファイル情報を送信する時、メモリに格納されているカラーファイル情報の主走査方向の画素数、副走査方向の画素数を操作部から選択する事はできなかったので、解像度は、常に、カラーファイル情報が有する画素数で決定されていた。このため、例えば主走査方向１６００画素、副走査方向１２００画素といった画素数の多いカラーファイルを送信する場合、電送速度の遅いファクシミリ通信においては、電送時間が非常に長くなるという問題があった。
【０００７】
【課題を解決するための手段】
すなわち、本発明の要旨は、主走査方向及び副走査方向の画素数が判別可能なカラーファイル情報を送信可能なファクシミリ装置であって、カラーファイルを送信する際の主走査方向及び副走査方向の画素数をユーザが選択するための入力手段と、相手先ファクシミリ装置が、非定形サイズの受信機能及びカラーファイルの受信機能を有するか否かを判別する能力判別手段と、相手先ファクシミリ装置が、非定形サイズの受信機能及びカラーファイルの受信機能を有すると能力判別手段が判定した場合、送信指定されたカラーファイルを入力手段によって選択された主走査方向及び副走査方向の画素数に従って送信する送信手段とを有することを特徴とするファクシミリ装置に存する。
【０００８】
【発明の実施の形態】
以下、添付図面を参照して、本発明をその好適な実施形態に基づき詳細に説明する。
図１は、本発明の実施形態に係るファクシミリ装置の構成例を示すブロック図である。
【０００９】
２は、ＮＣＵ（網制御装置）で、電話網をデータ通信等に使用するために、その回線の端末に接続し、電話交換網の接続制御を行ったり、データ通信路への切り換えを行ったり、ループの保持を行うものである。また、ＮＣＵ２は、バス２６からの制御により、電話回線２ａを電話機側に接続（ＣＭＬオフ）したり、電話回線２ａをファクシミリ装置側に接続（ＣＭＬオン）するものである。なお、通常状態では、電話回線２ａは、電話機４側に接続されている。
【００１０】
４は、電話機である。
６は、ハイブリッド回路であり、送信系の信号と受信系の信号とを分離し、加算回路１２からの送信信号をＮＣＵ２経由で電話回線２ａに送出し、相手側からの信号をＮＣＵ２経由で受け取り、信号線６ａ経由で変復調器８に送るものである。
【００１１】
８は、変復調器であり、ＩＴＵ−Ｔ勧告Ｖ．８、Ｖ．２１、Ｖ．２７ｔｅｒ、Ｖ．２９、Ｖ．１７、Ｖ．３４に基づいた変調及び復調を行う変復調器であり、バス２６の制御により、どの勧告に基づいた変復調を行うかが指定される。変復調器８は、バス２６からの送信信号を入力して変調データを信号線８ａに出力するとともに、信号線６ａに出力されている受信信号を入力して復調データをバス２６に出力する。
【００１２】
１０は、発呼回路であり、バス２６からの信号により、電話番号情報を入力し、信号線１０ａにＤＴＭＦの選択信号を出力する。
１２は、加算回路であり、信号線８ａの情報と信号線１０ａの情報を入力し、加算した結果を信号線１２ａに出力する。
【００１３】
１４は、カラー読み取り可能な読取回路であり、読み取りデータをバス２６に出力する。
１６は、カラー記録可能な記録回路であり、バス２６に出力されている情報を順次１ライン毎に記録する。
【００１４】
１８は、メモリ回路であり、ワーク用のメモリ（ＲＡＭ）、さらに、読み取りデータの生情報、あるいは、符号化した情報を格納したり、また、受信情報、あるいは、復号化した情報等をバス２６を介して格納するために使用する。
【００１５】
２０は、操作部であり、ワンタッチダイヤル、短縮ダイヤル、テンキー、＊キー、＃キー、スタートキー、ストップキー、セットキー、カラー読み取り選択キー、ファイル情報の送信を選択するキー、原稿情報のカラー読み取り時の解像度選択キー（例えば、１００ｄｐｉ、２００ｄｐｉ、３００ｄｐｉ、４００ｄｐｉ、６００ｄｐｉ、１２００ｄｐｉの中からの選択が可能とする）、ファイル情報送信時の画素数選択キー（（主走査方向の画素数、副走査方向の画素数）の組み合わせ、例えば（６４０、４８０）、（１０２４、７６８）、（１６００、１２００）の３通りからの選択が可能とする）、その他のファンクションキーがあり、押下されたキー情報はバス２６に出力される。
【００１６】
操作部２０には、図示しない表示部があり、バス２６に出力されている情報を表示する。
２２は、ＣＰＵ（中央処理装置）であり、ファクシミリ伝送制御手順の実行を含めたファクシミリ装置全体の制御を行う。ＣＰＵ２２の制御プログラムは、ＲＯＭ２４に格納される。
【００１７】
２６は、バスである。
２８は、リムーバブルメモリカードを用いるためのカードインターフェイスである。
３０は、リムーバブルメモリカードである。
【００１８】
図２は、本実施形態において用いられる、ＤＩＳ（Ｄｉｇｉｔａｌ　Ｉｎｆｏｒｍａｔｉｏｎ　Ｓｉｇｎａｌ）／ＤＴＣ（Ｄｉｇｉｔａｌ　Ｔｒａｎｓｍｉｔ　Ｓｉｇｎａｌ）信号およびＤＣＳ（Ｄｉｇｉｔａｌ　Ｃｏｎｔｒｏｌ　Ｓｉｇｎａｌ）信号におけるＦＩＦ（Ｆａｃｓｉｍｉｌｅ　Ｉｎｆｏｒｍａｔｉｏｎ　Ｆｉｅｌｄ）のビット番号とそのビットが”１”である場合に有効な意味（状態）を示し、ＩＴＵ−Ｔ勧告Ｔ．３０に規定されているものと本発明によって新たに設定されたものを含んでいる。
【００１９】
ＤＩＳ／ＤＴＣ信号のＦＩＦの第６８ビットにより、色空間ＬａｂでのＪＰＥＧ受信機能の有無を通知し、ＤＣＳ信号のＦＩＦの第６８ビットにより、色空間ＬａｂでのＪＰＥＧ送信を指定する。
また、ＤＩＳ／ＤＴＣ信号のＦＩＦの第６９ビットにより、色空間はＬａｂであるフルカラー受信機能の有無を通知し、ＤＣＳ信号のＦＩＦの第６９ビットにより、色空間Ｌａｂのフルカラー送信を指定する。
【００２０】
また、ＤＩＳ／ＤＴＣ信号のＦＩＦの第Ｘビットにより、色空間ｓＹＣＣでのＪＰＥＧ受信機能の有無を通知し、ＤＣＳ信号のＦＩＦの第Ｘビットにより、色空間ｓＹＣＣでのＪＰＥＧ送信を指定する。
また、ＤＩＳ／ＤＴＣ信号のＦＩＦの第（Ｘ＋１）ビットにより、色空間はｓＹＣＣであるフルカラー受信機能の有無を通知し、ＤＣＳ信号のＦＩＦの第（Ｘ＋１）ビットにより、色空間ｓＹＣＣでのフルカラー送信を指定する。
【００２１】
また、ＤＩＳ／ＤＴＣ信号のＦＩＦの第Ｙビットにより、色空間ｓＹＣＣでの非定形サイズの受信機能の有無を通知し、ＤＣＳ信号のＦＩＦの第Ｙビットにより、色空間ｓＹＣＣでの非定形サイズの送信を指定する。なお、Ｘ、Ｙビットとは、現在Ｔ．３０勧告に規定されていないビット番号を表し、（Ｘ＋１）ビットはＸビットの次のビットを意味している。
【００２２】
２４は、ＲＯＭであり、ＣＰＵ２２の制御プログラムが格納されている。ＣＰＵ２２はＲＯＭ２４に格納された制御プログラムを実行することによって、従来のカラーファクシミリ装置と同等の送受信機能および、色空間ｓＹＣＣでのＪＰＥＧ符号化情報の送受信機能を含め、以下に説明する、本実施形態に係るファクシミリ装置の動作を実現する。
【００２３】
次に、図３〜図６に示すフローチャートを用いて、本実施形態に係るファクシミリ装置の動作について説明する。なお、図３〜図６に示す動作は、ＣＰＵ２２がＲＯＭ２４に記憶された制御プログラムを実行し、ファクシミリ装置の各構成要素を制御することによって実現される。
【００２４】
図３において、Ｓ０は、始めを表している。
Ｓ２では、バス２６を介して、メモリ１８をイニシャライズする。
Ｓ４では、バス２６を介して、操作部２０の図示しない表示部をクリアする。Ｓ６では、バス２６を介してＮＣＵ２のＣＭＬをオフ（電話回線２ａを電話機側に接続）する。
【００２５】
Ｓ８では、操作部２０の情報を入力し、送信が選択されたか否かが判断され、ＹＥＳであるとＳ１２に進み、ＮＯであるとＳ１０に進んでその他の処理を行った後Ｓ６へ戻る。
Ｓ１２では、操作部２０の情報を入力し、ファイル情報の送信が選択されたか否かが判断され、ＹＥＳであるとＳ１８に進み、ＮＯであるとＳ１４に進む。
【００２６】
Ｓ１４では、操作部２０の情報を入力し、カラー原稿情報の送信が選択されたか否かが判断され、ＹＥＳであるとＳ５２に進み、ＮＯであるとＳ１６に進んでその他の処理を行った後Ｓ６へ戻る。
Ｓ１８では、操作部２０の情報を入力し、選択されている主走査方向の画素数、副走査方向の画素数を入力する。
【００２７】
Ｓ２０では、バス２６を介して、ＮＣＵ２のＣＭＬをオン（電話回線２ａをファクシミリ装置側に接続）する。
Ｓ２２では、バス２６を介して発呼回路１０を用い、指定された宛先へ発呼する。
【００２８】
Ｓ２４で前手順を開始する。
Ｓ２６では、相手側ファクシミリ装置からのＤＩＳ信号のＦＩＦの第Ｘ、（Ｘ＋１）、Ｙビットは全て”１”であるか否か、すなわち、相手側ファクシミリ装置が色空間ｓＹＣＣのＪＰＥＧフルカラー受信機能と、色空間ｓＹＣＣのでの非定形サイズの受信機能の両方を有するか否かが判断され、ＹＥＳであるとＳ３０に進み、ＮＯであるとＳ２８に進む。
【００２９】
Ｓ２８では、指定された設定に対応する機能を相手先ファクシミリ装置が有していないため、送信ができない旨のエラーメッセージ、例えば「相手側ファクシミリでは設定された条件に対応できないため、カラーファイル情報の送信を中断します。」等を操作部２０の図示しない表示部に表示する。メッセージに応答して操作部２０の何らかのキーが操作されるとメッセージを消し、Ｓ６へ戻る。
【００３０】
Ｓ３０では、例えばメモリカード３０に格納されている、送信すべきカラーファイル情報の主走査方向の画素数と副走査方向の画素数が、操作部で選択されているそれらと一致しているか否かを判断する。カラーファイルの主走査方向及び副走査方向の画素数を調べる方法は任意であるが、例えばカラーファイルがＪＰＥＧ符号化ファイルであれば、そのヘッダ情報から検出することが可能である。
判断の結果、一致していればＳ３４に進み、不一致であればＳ３２に進む。
【００３１】
Ｓ３２では、操作部２０で選択された、カラーファイル情報の送信時の主走査方向の画素数と副走査方向の画素数が、実際のカラーファイル情報のそれらより小さいか否かが判断されＹＥＳであるとＳ４０に進み、ＮＯであるとＳ４６に進む。なお、ここでは説明を簡単にするため、カラーファイルの画素数と送信時設定の画素数とを比較した場合、主走査方向における画素数の大小関係と、副走査方向における画素数の大小関係は等しいものとする。
【００３２】
Ｓ３４では、残りの前手順を行う。ここで、相手先ファクシミリ装置へ送信するＤＣＳ信号のＦＩＦの第Ｘ、（Ｘ＋１）、Ｙビットを”１”とし、色空間ｓＹＣＣのＪＰＥＧフルカラー非定形サイズの受信を指定する。
Ｓ３６は、メモリカードに格納されているカラーファイルの画素数を変更せずに、必要であればＪＰＥＧ符号化を行い、色空間ｓＹＣＣでのＪＰＥＧ符号化カラー情報として送信する。
Ｓ３８では、後手順を行い、Ｓ６へ戻る。
【００３３】
Ｓ３２で、送信時に選択された画素数が、カラーファイルの画素数よりも小さいと判断された場合には、Ｓ４０へ移行し、残りの前手順を行う。ここで相手側ファクシミリ装置へ送信するＤＣＳ信号のＦＩＦの第Ｘ、（Ｘ＋１）、Ｙビットを”１”とし、色空間ｓＹＣＣのＪＰＥＧフルカラー非定形サイズの受信を指定する。
【００３４】
Ｓ４２では、例えばメモリカード３０に格納されている、送信カラーファイルをメモリ１８に読み出し、操作部２０で選択された送信時の主走査方向の画素数、副走査方向の画素数に縮小し、さらに必要であればＪＰＥＧ符号化を行って、色空間ｓＹＣＣでのＪＰＥＧ符号化カラー情報として送信する。
Ｓ４４では、後手順を行い、Ｓ６へ戻る。
【００３５】
Ｓ３２で、送信時に選択された画素数が、カラーファイルの画素数よりも大きいと判断された場合には、Ｓ４６へ移行し、残りの前手順を行う。ここで相手側ファクシミリ装置へ送信するＤＣＳ信号のＦＩＦの第Ｘ、（Ｘ＋１）、Ｙビットを”１”とし、色空間ｓＹＣＣのＪＰＥＧフルカラー非定形サイズの受信を指定する。
【００３６】
Ｓ４８では、例えばメモリカード３０に格納されている、送信カラーファイルをメモリ１８に読み出し、カラーファイル情報の主走査方向、副走査方向に白情報（白色画素）を付加し、操作部２０で選択された送信時の主走査方向の画素数、副走査方向の画素数を有するカラーファイルに変換する。なお、余白が生じることが画質の劣化よりも望ましくない場合などは、白情報を付加せずに、拡大することで画素数を合わせても良い。そして、必要に応じてＪＰＥＧ符号化を行って、色空間ｓＹＣＣでのＪＰＥＧ符号化カラー情報として送信する。
Ｓ５０では、後手順を行い、Ｓ６へ戻る。
【００３７】
Ｓ１４において、カラー原稿情報の送信が選択されている場合には、Ｓ５２へ移行し、バス２６を介して、ＮＣＵ２のＣＭＬをオンする。
Ｓ５４では、バス２６を介して発呼回路１０を用い、指定された宛先へ発呼する。
【００３８】
Ｓ５６で前手順を開始する。
Ｓ５８では、相手側ファクシミリ装置から受信したＤＩＳ信号のＦＩＦの第６８ビットと第６９ビットはともに”１”であるか否か、すなわち相手側ファクシミリ装置が色空間ＬａｂでのＪＰＥＧフルカラー受信機能を有するか否かが判断され、ＹＥＳであるとＳ６０に進み、ＮＯであるとＳ６２に進む。
【００３９】
Ｓ６０では、残りの前手順を行う。ここで、読み取り回路１４に置かれた原稿のサイズ及び選択されている解像度と、ＤＩＳ信号で受け取った受信機側の受信可能な解像度とから、送信原稿サイズと送信解像度を決定する。
Ｓ６２では、指定された設定に対応する機能を相手先ファクシミリ装置が有していないため、送信ができない旨のエラーメッセージ、例えば「相手側ファクシミリでは設定された条件に対応できないため、カラー原稿情報の送信を中断します。」等を操作部２０の図示しない表示部に表示する。メッセージに応答して操作部２０の何らかのキーが操作されるとメッセージを消し、Ｓ６へ戻る。
【００４０】
Ｓ６４では、必要に応じて、読みとったカラー原稿情報を変倍し、色空間ＬａｂでのＪＰＥＧ符号化を行った後、フルカラー情報送信の実行を行う。
Ｓ６６では、後手順を行い、Ｓ６へ戻る。
【００４１】
【他の実施形態】
上述の実施形態では、送信時の主走査方向及び副走査方向の画素数を指定可能なカラーファイルが、色空間ｓＹＣＣの画像情報である場合についてのみ説明したが、本発明は他の色空間で表現されたカラーファイルのファクシミリ通信に対しても適用可能であることは当業者には説明するまでもなく理解されよう。
【００４２】
また、本発明において、送信する「カラーファイル」とは、メモリカードに格納されている画像ファイルのみならず、例えば通信可能に接続された外部コンピュータ等から送信されてきた画像ファイルや、読み取り回路でページ単位で読み込み、メモリに蓄積された画像ファイル等、送信前に主走査方向及び副走査方向の画素数が判別可能な任意の画像ファイルであってよい。
【００４３】
また、前述した実施形態の機能を実現するソフトウェアのプログラム（実施形態では図３〜図６に示すフローチャートに対応したプログラム）を、記録媒体から直接、或いは有線／無線通信を用いて当該プログラムを実行可能なコンピュータを有するシステム又は装置に供給し、そのシステム或いは装置のコンピュータが該供給されたプログラムを実行することによって同等の機能が達成される場合も本発明に含む。
【００４４】
従って、本発明の機能処理をコンピュータで実現するために、該コンピュータに供給、インストールされるプログラムコード自体も本発明を実現するものである。つまり、本発明の機能処理を実現するためのコンピュータプログラム自体も本発明に含まれる。
【００４５】
その場合、プログラムの機能を有していれば、オブジェクトコード、インタプリタにより実行されるプログラム、ＯＳに供給するスクリプトデータ等、プログラムの形態を問わない。
【００４６】
プログラムを供給するための記録媒体としては、例えば、フレキシブルディスク、ハードディスク、磁気テープ等の磁気記録媒体、ＭＯ、ＣＤ−ＲＯＭ、ＣＤ−Ｒ、ＣＤ−ＲＷ、ＤＶＤ−ＲＯＭ、ＤＶＤ−Ｒ、ＤＶＤ−ＲＷ等の光／光磁気記憶媒体、不揮発性の半導体メモリなどがある。
【００４７】
有線／無線通信を用いたプログラムの供給方法としては、コンピュータネットワーク上のサーバに本発明を形成するコンピュータプログラムそのもの、もしくは圧縮され自動インストール機能を含むファイル等、クライアントコンピュータ上で本発明を形成するコンピュータプログラムとなりうるデータファイル（プログラムデータファイル）を記憶し、接続のあったクライアントコンピュータにプログラムデータファイルをダウンロードする方法などが挙げられる。この場合、プログラムデータファイルを複数のセグメントファイルに分割し、セグメントファイルを異なるサーバに配置することも可能である。
【００４８】
つまり、本発明の機能処理をコンピュータで実現するためのプログラムデータファイルを複数のユーザに対してダウンロードさせるサーバ装置も本発明に含む。
【００４９】
また、本発明のプログラムを暗号化してＣＤ−ＲＯＭ等の記憶媒体に格納してユーザに配布し、所定の条件を満たしたユーザに対して暗号化を解く鍵情報を、例えばインターネットを介してホームページからダウンロードさせることによって供給し、その鍵情報を使用することにより暗号化されたプログラムを実行してコンピュータにインストールさせて実現することも可能である。
【００５０】
また、コンピュータが、読み出したプログラムを実行することによって、前述した実施形態の機能が実現される他、そのプログラムの指示に基づき、コンピュータ上で稼動しているＯＳなどが、実際の処理の一部または全部を行ない、その処理によっても前述した実施形態の機能が実現され得る。
【００５１】
さらに、記録媒体から読み出されたプログラムが、コンピュータに挿入された機能拡張ボードやコンピュータに接続された機能拡張ユニットに備わるメモリに書き込まれた後、そのプログラムの指示に基づき、その機能拡張ボードや機能拡張ユニットに備わるＣＰＵなどが実際の処理の一部または全部を行ない、その処理によっても前述した実施形態の機能が実現され得る。
【００５２】
本発明の実施態様を以下に列挙する。
【００５３】
［実施態様１］　主走査方向及び副走査方向の画素数が判別可能なカラーファイル情報を送信可能なファクシミリ装置であって、
カラーファイルを送信する際の主走査方向及び副走査方向の画素数をユーザが選択するための入力手段と、
相手先ファクシミリ装置が、非定形サイズの受信機能及びカラーファイルの受信機能を有するか否かを判別する能力判別手段と、
前記相手先ファクシミリ装置が、非定形サイズの受信機能及びカラーファイルの受信機能を有すると前記能力判別手段が判定した場合、送信指定されたカラーファイルを前記入力手段によって選択された主走査方向及び副走査方向の画素数に従って送信する送信手段とを有することを特徴とするファクシミリ装置。
【００５４】
［実施態様２］　前記送信手段が、前記選択された主走査方向及び副走査方向の画素数が、送信指定されたカラーファイルの主走査方向及び副走査方向の画素数よりも小さい場合、前記送信指定されたカラーファイルを前記選択された画素数に縮小してから送信を行うことを特徴とする実施態様１記載のファクシミリ装置。
【００５５】
［実施態様３］　前記送信手段が、前記選択された主走査方向及び副走査方向の画素数が、送信指定されたカラーファイルの主走査方向及び副走査方向の画素数よりも大きい場合、前記送信指定されたカラーファイルに白画素を付加して前記選択された画素数にしてから送信を行うことを特徴とする実施態様１又は実施態様２記載のファクシミリ装置。
【００５６】
［実施態様４］　原稿を読み取り、読み取った原稿画像を送信する場合に、原稿を読みとるべき解像度をユーザが指定するための解像度設定手段を更に有することを特徴とする実施態様１乃至実施態様３のいずれか１項に記載のファクシミリ装置。
【００５７】
［実施態様５］　主走査方向及び副走査方向の画素数が判別可能なカラーファイル情報を送信可能なファクシミリ通信方法であって、
ユーザが選択した、カラーファイルを送信する際の主走査方向及び副走査方向の画素数を得る入力ステップと、
相手先ファクシミリ装置が、非定形サイズの受信機能及びカラーファイルの受信機能を有するか否かを判別する能力判別ステップと、
前記相手先ファクシミリ装置が、非定形サイズの受信機能及びカラーファイルの受信機能を有すると前記能力判別ステップで判定された場合、送信指定されたカラーファイルを前記入力ステップで取得した主走査方向及び副走査方向の画素数に従って送信する送信ステップとを有することを特徴とするファクシミリ通信方法。
【００５８】
［実施態様６］　前記送信ステップが、前記選択された主走査方向及び副走査方向の画素数が、送信指定されたカラーファイルの主走査方向及び副走査方向の画素数よりも小さい場合、前記送信指定されたカラーファイルを前記選択された画素数に縮小してから送信を行うことを特徴とする実施態様５記載のファクシミリ通信方法。
【００５９】
［実施態様７］　前記送信ステップが、前記選択された主走査方向及び副走査方向の画素数が、送信指定されたカラーファイルの主走査方向及び副走査方向の画素数よりも大きい場合、前記送信指定されたカラーファイルに白画素を付加して前記選択された画素数にしてから送信を行うことを特徴とする実施態様５又は実施態様６記載のファクシミリ通信方法。
【００６０】
［実施態様８］　ユーザが選択した、原稿を読み取り、読み取った原稿画像を送信する場合に、原稿を読みとるべき解像度を取得する解像度入力ステップを更に有することを特徴とする実施態様５乃至実施態様７のいずれか１項に記載のファクシミリ通信方法。
【００６１】
【発明の効果】
以上説明したように、本発明によれば、色空間ｓＹＣＣのカラーファイルの送信可否を前手順で確認できるため、色空間ｓＹＣＣのカラーファイルを色空間変換することなく送信することが可能になる。また、カラーファイル送信時に主走査方向、副走査方向の画素数を操作部から選択する事ができ、例えば画素数の多いカラーファイルを送信する場合、少ない画素数を選択することにより、電送速度の遅いファクシミリ通信においても、短時間で伝送することが可能となるなど、使い勝手が向上する。
【図面の簡単な説明】
【図１】本発明の一実施形態に係るファクシミリ装置の構成例を示すブロック図である。
【図２】本発明の実施形態に係るファクシミリ装置で用いるＦＩＦの例を示す図である。
【図３】、
【図４】、
【図５】、
【図６】、
本発明の実施形態に係るファクシミリ装置の動作を説明するフローチャートである。
【符号の説明】
２．ＮＣＵ
４．電話機
６．ハイブリッド回路
８．変復調器
１０．発呼回路
１２．加算回路
１４．読み取り回路
１６．記録回路
１８．メモリ回路
２０．操作部
２２．ＣＰＵ
２４．ＲＯＭ
２６．バス
２８．カードインターフェイス
３０．メモリカード
【図１】
2004140463.tif 000003
【図２】
2004140463.tif 000004
【図３】
2004140463.tif 000005
【図４】
2004140463.tif 000006
【図５】
2004140463.tif 000007
【図６】
2004140463.tif 000008